(57)【要約】【課題】部品点数を増大させること無く、光源からの光を遮蔽することができる車両用メータの照明構造を提供する。【解決手段】計器ケース１０ａに設けられたＬＥＤ１３ｅからの照明光を、計器ケース１０ａの前面側に設けられた文字板１２の裏面側に照射して、透過照明を行う透過照明領域１３ｄを有すると共に、透過照明領域１３ｄに隣接配置されて、ＬＥＤ２２ｄによって、文字板１２近傍に設けられた液晶表示部２２ａのバックライト照明を行う液晶表示装置２２を有する車両用メータ１０の照明構造である。液晶表示部２２ａから垂下される脚状端子部２２ｂが接続される壁状のコネクタ部２２ｃが、ＬＥＤ２２ｄと、透過照明領域１３ｄ，２０ｂ，２１ｂ，及び１６ｂ等との間に位置するように設けられている。【選択図】  図１
2005010063.tif 000002
【特許請求の範囲】
【請求項１】
計器ケースに設けられた文字板光源からの照明光を、該計器ケースの前面側に設けられた文字板の裏面側に照射して、透過照明を行う透過照明表示部を有すると共に、該透過照明表示部に隣接配置されて、バックライト光源によって、前記文字板近傍に設けられた面状表示部のバックライト照明を行う面状表示装置を有する車両用メータの照明構造であって、
前記面状表示部から垂下される脚状端子部が接続される壁状のコネクタ部を、前記バックライト光源と、前記透過照明表示部との間に位置させることを特徴とする車両用メータの照明構造。
【請求項２】
前記バックライト光源は、基板の上に固着されると共に、該基板から前記コネクタ部を上方に向けて凸設したことを特徴とする請求項１記載の車両用メータの照明構造。
【発明の詳細な説明】
【０００１】
【発明の属する技術分野】
この発明は、主に、車両に用いられて、液晶表示装置等の面状の表示部を有する車両用メータの照明構造に関する。
【０００２】
【従来の技術】
従来、図５に示すような車両用メータの照明構造が知られている（例えば、特許文献１参照）。
【０００３】
まず、構成から説明すると、このような従来の車両用メータの照明構造では、図示省略の計器ケース内に、回路基板１が設けられると共に、該回路基板１の上には、ロアケース３の表面側に位置する図示省略の文字板上で、アナログメータの指針を駆動するムーブメント２が設けられている。
【０００４】
また、この回路基板１には、前記ムーブメント２に隣接して、前記ロアケース３に形成された開口部３ａから面状表示部としての液晶表示部４ａを臨ませる面状表示装置としての液晶表示装置４のコネクタ部４ｃが、固着されている。
【０００５】
このコネクタ部４ｃは、前記回路基板１のムーブメント２が配置される側と反対側の側縁１ａに沿って設けられていると共に、前記液晶表示部４ａから垂下される脚状端子部４ｂが、挿入されて接続されるように構成されている。
【０００６】
更に、この液晶表示部４ａの下面側には、光源としてのバルブ５，５が設けられていて、点灯により、この液晶表示部４ａ及び文字板が裏面側から透過照明されるように構成されている。
【０００７】
【特許文献１】
特許第２９１１０２４号公報（図１、図４
【００２９】乃至
【００５２】段落）
【０００８】
【発明が解決しようとする課題】
しかしながら、前記図５に示すような従来の車両用メータの照明構造では、前記アナログメータのロアケース３の表面側に設けられた図示省略の文字板のアナログ表示部分と、液晶表示装置４の液晶表示部４ａとが、隣接配置されているので、前記バルブ５，５の点灯で、両表示部が同時に透過照明されてしまう。
【０００９】
このため、一方を照明したくない場合や、或いは、異なる照明色で各々透過照明したい場合には、別部品によって、バルブ５の照光を遮蔽する等の必要が生じる。
【００１０】
このような別部品の追加は、部品点数を増大させて、製造コストの増大が抑制出来ないといった問題があった。
【００１１】
そこで、本発明の目的は、部品点数を増大させること無く、光源からの光を遮蔽することができる車両用メータの照明構造を提供することにある。
【００１２】
【課題を解決するための手段】
本発明は、かかる問題点に着目してなされたもので、請求項１に係る発明では、計器ケースに設けられた文字板光源からの照明光を、該計器ケースの前面側に設けられた文字板の裏面側に照射して、透過照明を行う透過照明表示部を有すると共に、該透過照明表示部に隣接配置されて、バックライト光源によって、前記文字板近傍に設けられた面状表示部のバックライト照明を行う面状表示装置を有する車両用メータの照明構造であって、前記面状表示部から垂下される脚状端子部が接続される壁状のコネクタ部を、前記バックライト光源と、前記透過照明表示部との間に位置させる車両用メータの照明構造を特徴としている。
【００１３】
このように構成された請求項１記載のものでは、前記壁状のコネクタ部が、前記バックライト光源と、前記透過照明表示部との間に位置して、前記バックライト光源からの照光が前記透過照明表示部に届かないように遮蔽される。
【００１４】
また、前記文字板光源からの照光が、前記面状表示部に届かないように前記コネクタ部によって遮蔽される。
【００１５】
このため、前記透過照明表示部又は、面状表示部のうち、一方を照明したくない場合や、或いは、異なる照明色で、各々前記透過照明表示部及び、面状表示部を透過照明したい場合であっても、部品点数を増大させること無く、光源からの光を遮蔽することができる。
【００１６】
また、請求項２に記載されたものでは、前記バックライト光源は、基板の上に固着されると共に、該基板から前記コネクタ部を上方に向けて凸設した請求項１記載の車両用メータの照明構造を特徴としている。
【００１７】
このように構成された請求項２に記載されたものでは、前記バックライト光源が、基板の上に固着されると共に、前記コネクタ部が、同じ前記基板から上方に向けて凸設されているので、確実に、前記バックライト光源からの照明光を遮蔽できる。
【００１８】
【発明の実施の形態１】
図１乃至図４は、この発明の実施の形態１の車両用メータの照明構造を示すものである。
【００１９】
なお、前記従来例と同一乃至均等な部分については、同一符号を付して説明する。
【００２０】
まず、構成から説明すると、この実施の形態１の車両用メータの照明構造では、車両用メータ１０が、合成樹脂製材料で構成された箱型の計器ケース１０ａ内に、回路基板１１が設けられている。
【００２１】
この計器ケース１０ａは、図３に示すように、この回路基板１１との間にケースロア１０ｂを介在させて、各種表示が行われる文字板１２が、正面開口部１０ｃに装着されて、略箱状を呈するように構成されている。
【００２２】
この回路基板１１の上には、文字板１２の表面側に位置するアナログメータとしての水温計１３及び燃料計１４の指針１３ａ，１４ａを駆動するムーブメント１３ｂ…が設けられている。
【００２３】
これらの水温計１３及び燃料計１４には、図２に示すように前記文字板１２の一部に、裏面側からの照明光の照射を透光して表面側の絵文字部等の目盛部１３ｃ，１４ｃ及び目盛部１３ｃ，１４ｃの周囲の照明として用いる一部内側縁が突出した略扇形の透過照明領域１３ｄ，１４ｄが形成されている。
【００２４】
そして、これらの透過照明領域１３ｄ，１４ｄを裏面側から照明光を照射することにより透過照明を行う文字板光源としてのＬＥＤ１３ｅ，１４ｅが、各々これらの透過照明領域１３ｄ，１４ｄの真下の前記回路基板１１の上面に固設されている。
【００２５】
更に、この車両用メータ１０では、押しボタンスイッチ部１５及び各種警告灯表示部１６〜１９が設けられている。
【００２６】
このうち、前記押しボタンスイッチ部１５には、駆動力切替スイッチ２０及びライトスイッチ２１が設けられていて、前記回路基板１１に設けられたＬＥＤ２０ｃ，２１ｃの点灯による裏面側からの照明光の照射を透光して表面側の絵文字部２０ａ，２１ａ及び絵文字部２０ａ，２１ａの周囲の照明として用いる円形若しくは楕円形の透過照明領域２０ｂ，２１ｂが形成されている。
【００２７】
また、前記警告灯表示部１６〜１９にも、各々裏面側からの照明光の照射を透光して表面側の絵文字部１６ａ〜１９ａ及びの周囲の照明として用いる透過照明領域１６ｂ〜１９ｂが形成されている。
【００２８】
そして、この車両用メータ１０には、前記水温計１３及び前記押しボタンスイッチ部１５に隣接して、前記文字板１２に形成された開口部１２ａから面状表示部としての液晶表示部２２ａを臨ませる面状表示装置としての液晶表示装置２２が設けられている。
【００２９】
すなわち、前記回路基板１１には、この液晶表示装置２２のコネクタ部２２ｃが、固着されている。
【００３０】
このコネクタ部２２ｃは、前記液晶表示部２２ａから垂下される脚状端子部２２ｂが、接続されるように構成されていて、横長直方形の壁状を呈している。
【００３１】
更に、このコネクタ部２２ｃが、面延設方向を前記回路基板１１の側辺延設方向に対して、約４５゜の角度αを有して斜めとなるように、この回路基板１１の上に、配置されている。
【００３２】
この実施の形態１では、図３に示すように、このコネクタ部２２ｃの上端部２２ｅが、前記ケースロア１０ｂの一般面１０ｄよりも高い位置となるように、このケースロア１０ｂに開口形成されたコネクタ挿通孔１０ｅから上方へ向けて突設されている。
【００３３】
更に、この液晶表示部２２ａは、前記ケースロア１０ｂから突設される複数の係止爪部１０ｆ，１０ｆ及び１０ｇ，１０ｇによって前記文字板１２の開口部１２ａ内近傍位置で、真下に位置する様に固定されている。
【００３４】
また、この液晶表示部２２ａの略中央位置の下方には、バックライト光源としてのＬＥＤ２２ｄが、前記回路基板１１の上に直接、固着されて設けられている。
【００３５】
そして、この壁状のコネクタ部２２ｃが、前記ＬＥＤ２２ｄと、前記透過照明表示部としての前記透過照明領域１３ｄ，２０ｂ，２１ｂ，及び１６ｂ等との間に位置するように構成されている。
【００３６】
このため、図１中二点鎖線Ｆ１〜Ｆ２間に示すように、前記水温計１３から、前記押しボタンスイッチ部１５配置箇所までは、前記ＬＥＤ２２ｄの照明の視野から外れたコネクタ部２２ｃの影の部分となり、透過照明領域１３ｄ〜２０ｄ等に照明光が到達しないように構成されている。
【００３７】
次に、この実施の形態１の作用について説明する。
【００３８】
このように構成された実施の形態１の車両用メータの照明構造では、前記壁状のコネクタ部２２ｃが、前記ＬＥＤ２２ｄと、前記透過照明表示部としての前記透過照明領域１３ｄ，２０ｂ，２１ｂ，及び１６ｂ等との間に位置して、図１中二点鎖線Ｆ１〜Ｆ２間を前記ＬＥＤ２２ｄからの照光が、これらの前記透過照明領域１３ｄ，２０ｂ，２１ｂ，及び１６ｂ等に届かないように遮蔽される。
【００３９】
また、前記文字板光源であるＬＥＤ２０ｃ，２１ｃ等からの照光が、前記液晶表示部２２ａに届かないように前記コネクタ部２２ｃによって遮蔽される。
【００４０】
このため、個別点灯の必要により、前記透過照明領域１３ｄ，２０ｂ，２１ｂ，及び１６ｂ等と、液晶表示部２２ａとのうち、一方を照明したくない場合や、或いは、異なる照明色で、各々前記透過照明領域１３ｄ，２０ｂ，２１ｂ，及び１６ｂ等と、液晶表示部２２ａを透過照明したい場合であっても、部品点数を増大させること無く、各ＬＥＤ２２ｄ，２０ｃ等からの照光が、隣接配置された他の表示部に到達すること無く遮蔽される。
【００４１】
また、この実施の形態１の車両用メータの照明構造では、前記ＬＥＤ２２ｄが、回路基板１１の上に固着されると共に、前記コネクタ部２２ｃが、同じ前記回路基板１１から上方に向けて凸設されている。
【００４２】
しかも、図３に示すように、前記コネクタ部２２ｃの上端部２２ｅが、前記ケースロア１０ｂの一般面１０ｄよりも高い位置となるように、このケースロア１０ｂに開口形成されたコネクタ挿通孔１０ｅから上方へ向けて突設されている。
【００４３】
このため、二点鎖線Ｆ３で示すＬＥＤ２２ｄの照光可能角度θを比較的狭く設定することができるので、隣接配置される他の表示部への影響を少なくすることが出来、更に、確実に、前記ＬＥＤ２２ｄからの照明光を遮蔽できる。
【００４４】
しかも、前記液晶表示部２２ａは、前記ケースロア１０ｂから突設される複数の係止爪部１０ｆ，１０ｆ及び１０ｇ，１０ｇによって前記文字板１２の開口部１２ａ内で、真下に位置する様に上下方向から固定されている。
【００４５】
このため、前記コネクタ部２２ｃの上端部２２ｅを比較的高く設定しても、この液晶表示部２２ａを安定させて固定できる。
【００４６】
更に、この実施の形態１では、前記コネクタ部２２ｃが、面延設方向を前記回路基板１１の側辺延設方向に対して、約４５゜の角度αを有して斜めとなるように、この回路基板１１の上に、配置されている。
【００４７】
このため、図１中二点鎖線Ｆ１〜Ｆ２間に示すように、前記水温計１３から、前記押しボタンスイッチ部１５配置箇所までの広い角度の範囲で、前記ＬＥＤ２２ｄの照明の視野から外れたコネクタ部２２ｃの影の部分となり、透過照明領域１３ｄ〜２０ｄ等に照明光が到達しない。
【００４８】
したがって、更に、照明光の遮蔽に必要とされる部品点数を増大させること無く、ＬＥＤ２２ｄからの光を遮蔽することができる。しかも、この実施の形態１では、前記ケースロア１０ｂに、照明光の遮蔽用に設けられる壁部等を、省略又は一部簡略化することが出来るので、ケースロア１０ｂの形状を簡素化して、更に、製造コストの増大を抑制することが出来る。
【００４９】
以上、図面を参照して、本発明の実施の形態１の車両用メータの照明構造を詳述してきたが、具体的な構成は、この実施の形態１に限らず、本発明の要旨を逸脱しない程度の設計的変更は、本発明に含まれる。
【００５０】
例えば、前記実施の形態１では、前記コネクタ部２２ｃが、面延設方向を前記回路基板１１の側辺延設方向に対して、約４５゜の角度αを有して斜めとなるように、この回路基板１１の上に配置されているが、特にこれに限らず、脚状端子部２２ｂが接続される壁状のコネクタ部２２ｃが、前記バックライト光源と、前記透過照明表示部との間に位置するものであるならば、例えば、前記回路基板１１の側辺延設方向に対して、平行又は直交或いは、他の傾斜角度で配置されていてもよい。
【００５１】
【発明の効果】
上述してきたように、請求項１記載のものでは、前記壁状のコネクタ部が、前記バックライト光源と、前記透過照明表示部との間に位置して、前記バックライト光源からの照光が前記透過照明表示部に届かないように遮蔽される。
【００５２】
また、前記文字板光源からの照光が、前記面状表示部に届かないように前記コネクタ部によって遮蔽される。
【００５３】
このため、前記透過照明表示部又は、面状表示部のうち、一方を照明したくない場合や、或いは、異なる照明色で、各々前記透過照明表示部及び、面状表示部を透過照明したい場合であっても、部品点数を増大させること無く、光源からの光を遮蔽することができる。
【００５４】
また、請求項２に記載されたものでは、前記バックライト光源が、基板の上に固着されると共に、前記コネクタ部が、同じ前記基板から上方に向けて凸設されているので、確実に、前記バックライト光源からの照明光を遮蔽できる、という実用上有益な効果を発揮する。
【図面の簡単な説明】
【図１】本発明の実施の形態１の車両用メータの照明構造で、要部の拡大斜視図である。
【図２】実施の形態１の車両用メータの照明構造で、車両用メータの正面図である。
【図３】実施の形態１の車両用メータの照明構造で、図２中Ａ−Ａ線に沿った位置での断面図である。
【図４】実施の形態１の車両用メータの照明構造に用いられる液晶表示装置の正面図である。
【図５】従来例の車両用メータの照明構造を説明する分解斜視図である。
【符号の説明】
１０              車両用メータ
１０ａ            計器ケース
１１              回路基板（基板）
１２              文字板
１３ｅ            ＬＥＤ（文字板光源）
透過照明表示部
１３ｄ，１６ｂ，２０ｂ，２１ｂ
透過照明領域
２２              液晶表示装置
２２ａ            液晶表示部
２２ｂ            脚状端子部
２２ｃ            コネクタ部
２２ｄ            ＬＥＤ（バックライト光源）
【図１】
2005010063.tif 000003
【図２】
2005010063.tif 000004
【図３】
2005010063.tif 000005
【図４】
2005010063.tif 000006
【図５】
2005010063.tif 000007